(57)【要約】【課題】  容器本体を押圧しても内容物が排出されないポンプ付きチューブ容器の提案。【解決手段】  第１及び第２の二つの逆止弁を備えた弁体と、外圧付勢により排出を行うポンプ機能を備えた加圧室１０と、排出口を備えた、蓋体であって、第１の逆止弁は、容器本体と加圧室１０の間に設けられ容器本体内から加圧室１０にのみ内容物の流通を許すものであり、第２の逆止弁は、加圧室１０から排出口の間に設けられ加圧室１０内から排出口にのみ内容物の流通を許すものであり、なおかつ第２の逆止弁は、それ自身が排出口へ向かう流路を塞ぐように蓋体内面と密着するよう構成されるとともに、容器本体内圧力も当該第２の逆止弁を密着させる方向に作用するよう構成されたことを特徴とする蓋体を備えた。【選択図】図１
2006315745.tif 000002
【特許請求の範囲】
【請求項１】
チューブ容器への結合手段と、第１及び第２の二つの逆止弁を備えた弁体と、外力付勢により排出を行うポンプ機能を備えた加圧室と、排出口を備えた蓋体であって、第１の逆止弁は容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、それ自身が排出口へ向かう流路を塞ぐように蓋体内面と密着するよう構成されるとともに、容器本体内圧力も当該第２の逆止弁を密着させる方向に作用するよう構成することにより、容器本体の押圧によっては内容物が排出されないことを特徴とする蓋体を備えたポンプ付きチューブ容器。
【請求項２】
チューブ容器への結合手段と、第１及び第２の二つの逆止弁を備えた弁体と、外力付勢により排出を行うポンプ機能を備えた加圧室と、排出口を備えた蓋体であって、弁体は弾性素材で一体に形成されてなるものであって、第２の逆止弁はそれ自身が排出口へ向かう流路を塞ぐ位置で蓋体の内面と密着することで機能するものであり、当該密着のための力を付勢するとともに弁体全体を支持する機能を有するバネと、その上方に蓋体との密着部を有して構成され、第１の逆止弁はその中央に配してなるとともに容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、バネの弾性で蓋体内面と密着せしめられるが、容器本体内圧力も当該第２の逆止弁を密着させる方向に作用するよう構成することにより、容器本体の押圧によっては内容物が排出されないことを特徴とする蓋体を備えたポンプ付きチューブ容器。
【請求項３】
チューブ容器への結合手段と、第１及び第２の二つの逆止弁を備えた弁体と、外力付勢により排出を行うポンプ機能を備えた加圧室と、排出口を備えた蓋体であって、弁体は弾性素材で一体に形成されてなるものであって、第２の逆止弁はそれ自身が排出口の入口と密着することでこれを塞ぎ機能するものであり、当該密着のための力を付勢するとともに全体を支持する機能を有するバネと、その上方に蓋体との密着部を有して構成され、第１の逆止弁はその中央に配してなるとともに容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、バネの弾性で蓋体内面と密着せしめられるが、容器本体内圧力も当該第２の逆止弁を密着させる方向に作用するよう構成することにより、容器本体の押圧によっては内容物が排出されないこと特徴とする蓋体を備えたポンプ付きチューブ容器。
【請求項４】
加圧室が弾性体からなるドーム型ヘッド部材で区画されるとともに、当該ヘッド部材の外圧による変形によって加圧室内の圧力を上昇せしめるものである請求項１乃至３のいずれかに記載のポンプ付きチューブ容器。
【請求項５】
加圧室が蓋体上端開口部に摺動自在に設けられた蓋部材で区画されるとともに、当該蓋部材の外圧による下降によって加圧室内の圧力を上昇せしめるものである請求項１乃至３のいずれかに記載のポンプ付きチューブ容器。
【請求項６】
外圧を受ける手段の変形または下降に伴って、弁体を強制的に下降せしめて第２の逆止弁を開閉させるものである請求項１乃至５のいずれかにポンプ付きチューブ容器。
【請求項７】
第２の逆止弁を蓋体に密着せしめる力を付勢するバネが、ダイアフラムスプリングである請求項１乃至５のいずれかに記載のポンプ付きチューブ容器。
【請求項８】
第２の逆止弁を蓋体に密着せしめる力を付勢するバネが、樹脂製バネである請求項１乃至５のいずれかに記載のポンプ付きチューブ容器。
【請求項９】
第１の逆止弁がスリット弁である請求項１乃至８のいずれかに記載のポンプ付きチューブ容器。
【請求項１０】
第１の逆止弁がフラップ式弁である請求項１乃至５、７または８のいずれかに記載のポンプ付きチューブ容器。
【請求項１１】
第１の逆止弁がきのこ式弁である請求項１乃至８のいずれかに記載のポンプ付きチューブ容器。
【発明の詳細な説明】
【技術分野】
【０００１】
この発明は、チューブ容器を内容物収納体として使用したポンプ式の液体分配容器に関するものである。
【背景技術】
【０００２】
従来より、チューブ容器内に充填した内容物をポンプ式分配手段によって排出させる構造は提案されている。その基本的構造は、ポンプとして柔軟性素材で形成されたドーム状ヘッドを備えて加圧室を形成し、加圧室と容器本体間には容器本体側から加圧室にのみ流動可能な第１の逆止弁（一方向弁）を備え、また加圧室と排出ノズルとの間には加圧室から排出ノズルにのみ流動可能な第２の逆止弁（一方向弁）を備えている。そして、ドーム型ヘッドを指で押し込むことにより加圧室内の内容物が加圧され、第１の逆止弁は閉じているので第２の逆止弁のみを押して開弁せしめ、排出ノズルから排出される。そしてドーム型ヘッドに付勢した外力（指による押し込み力）を排除すると、第２の逆止弁が閉じて外気の引き込みを阻止するため、ドーム型ヘッドが復元する際に加圧室内には負圧が生じ、当該負圧により第１の逆止弁が開いて、チューブ容器内から内容物が加圧室内に流入するようになっている。その典型が特開平９−２２６７８８号公報に開示されている。
【特許文献１】特開平９−２２６７８８号公報
【０００３】
また、上記ポンプは金属部品を一切用いないで構成している点も特徴としているが、ポンプ構造に限定するとこの種のポンプは上記従来技術の出願前に既に開示されている。例えば実開平５−２４５６４号公報において開示されているポンプは、容器本体が内容物の減少に応じてそれ自体が変形するチューブではなく、下降可能な内蓋を備えた硬質筒状容器に設けられているものであり、特開平７−１２５７２２号公報では上昇可能な底蓋を備えた硬質筒状容器に設けられ、さらに特開平９−１９３９５９号公報では外気導入タイプの硬質容器に設けられている。
【特許文献２】実開平５−２４５６４号公報
【特許文献３】特開平７−１２５７２２号公報
【特許文献４】特開平９−１９３９５９号公報
【０００４】
さらに、上記特許文献２の類型として、特開平１０−１０１１１９号公報ではドーム型ヘッドに代えてベローズを用いたポンプが開示されている。
【特許文献５】特開平１０−１０１１１９号公報
【０００５】
更にまた、上記１乃至４の特許文献に共通する特徴として、第１の逆止弁と第２の逆止弁とが一体に一つのパーツとして形成されている点である。これにより、構造の簡素化及び組み立ての容易性を図っている。そして上記１乃至４のいずれの特許文献に開示されたポンプも、内容物の分配性についての課題解決手段として提案されたものであると言える。
【発明の開示】
【発明が解決しようとする課題】
【０００６】
しかしながら、特に上記特許文献１に代表されるチューブタイプの容器を用いたものには、上記先行技術によっては解決されない致命的な欠点がある。それは、チューブ容器のような柔軟性の容器本体が露出している容器にあっては、不意な外力の付勢により、容器本体内が加圧されてしまい、それにより内容物が排出口から漏出または噴出してしまうということである。その原因は、前記第１の逆止弁と第２の逆止弁がドーム型ヘッド等により形成される加圧室を挟んで単純に直列に配置されているという構造にある。当該構造は一見すると、排出プロセスにおいて第１の逆止弁と第２の逆止弁の間にポンプ（すなわち圧力変動室）が存在することにより、このポンプの作用によってが第１の逆止弁と第２の逆止弁が順番にかつリレー式に開閉することにより内容物の排出が行われることとなっているが、それぞれの弁が逆止弁であるがゆえに圧力変動室の圧力変化に単に順応して作動しているに過ぎず、両逆止弁が同時に開くことを防止する機能はなんら設けられていない。同時に開く場合があることを全く前提にしていないからである。
【０００７】
つまり、基本は容器本体内の圧力が上昇すると、第１の逆止弁を挟んで容器本体内の高い圧力と加圧室内の低い圧力との圧力差により第１の逆止弁を開かせて内容物が加圧室に流れ込む。ところが、さらに容器本体内の圧力が上昇して通常の排出時に、第２の逆止弁が開弁する程度の圧力に加圧室内の圧力が上昇した場合には、第１の逆止弁が開いたまま第２の逆止弁が開くこととなる。容器本体を押圧しただけで、通常のポンプを押して排出するときと同じ条件が整ってしまう。ところが第１の逆止弁は閉じることなく第２の逆止弁が開き、両逆止弁が同時に開いた状態を作ってしまうため、容器本体内から排出口に至る貫通した流路が形成されてしまい、内容物が排出口から流れ出てしまうのである。容器本体に付勢される外圧の大きさによって、また内容物の性状（粘度の高低）によって漏出であったり噴出であったりすることになる。
【０００８】
このような現象は、チューブの外側に硬質の筒状容器が備わるいわゆるデラミ容器ではあり得ないが、特に化粧品などの容器としてはチューブが露出したものが少なくない。このようなチューブが露出した化粧品等をバッグ等に入れて持ち歩くことは、女性ならごく日常的に行われていることであるが、そのバッグに何か別のものを押し込んだりしたときに、不用意にバッグ内のチューブ容器を加圧してしまうことはあり得ることであり、その際に漏出した化粧液等の内容物がバッグ内の他のものを汚損してしまうこともあり得る。そのような場合に、内容物が粘性の高いクリーム状のものであれば漏出の危険性が少ない場合があってとしても、化粧水のように粘性が低いものほど毛細管現象によってほんの僅かな逆止弁の隙間でも漏出の可能性が高い。
【０００９】
そこでこの発明は、従来のポンプ付きチューブ容器の使用感や利便性をなんら低下させることなく、容器本体を押圧しても内容物が排出されないことが可能なポンプ付きチューブ容器を提案するものである。
【課題を解決するための手段】
【００１０】
すなわちこのポンプ付きチューブ容器は、チューブ容器への結合手段と、第１及び第２の二つの逆止弁を備えた弁体と、外力付勢により排出を行うポンプ機能を備えた加圧室と、排出口を備えた、蓋体であって、第１の逆止弁は容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、それ自身が排出口へ向かう流路を塞ぐように蓋体内面と密着するよう構成されるとともに、容器本体内圧力も当該第２の逆止弁を密着させる方向に作用するよう構成することにより、容器本体の押圧によっては内容物が排出されないこと特徴とする蓋体を備えてなることを特徴とするものである。
【００１１】
またこのポンプ付きチューブ容器は、チューブ容器への結合手段と、第１及び第２の二つの逆止弁を備えた弁体と、外力付勢により排出を行うポンプ機能を備えた加圧室と、排出口を備えた、蓋体であって、弁体は弾性素材で一体に形成されてなるものであって、第２の逆止弁はそれ自身が排出口へ向かう流路を塞ぐ位置で蓋体の内面と密着することで機能するものであり、当該密着のための力を付勢するとともに弁体全体を支持する機能を有するバネと、その上方に蓋体との密着部を有して構成され、第１の逆止弁はその中央に配してなるとともに容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、バネの弾性で蓋体内面と密着せしめられるが、容器本体内圧力も当該第２の逆止弁を密着させる方向に作用するよう構成することにより、容器本体の押圧によっては内容物が排出されないこと特徴とする蓋体を備えてなることを特徴とするものである。
【００１２】
さらにこのポンプ付きチューブ容器は、チューブ容器への結合手段と、第１及び第２の二つの逆止弁を備えた弁体と、外力付勢により排出を行うポンプ機能を備えた加圧室と、排出口を備えた、蓋体であって、弁体は弾性素材で一体に形成されてなるものであって、第２の逆止弁はそれ自身が排出口の入口と密着することでこれを塞ぎ機能するものであり、当該密着のための力を付勢するとともに全体を支持する機能を有するバネと、その上方に蓋体との密着部を有して構成され、第１の逆止弁はその中央に配してなるとともに容器本体と加圧室の間に設けられ、容器本体内から加圧室にのみ内容物の流通を許すものであり、第２の逆止弁は加圧室から排出口の間に設けられ、加圧室内から排出口にのみ内容物の流通を許すものであり、なおかつ第２の逆止弁は、バネの弾性で蓋体内面と密着せしめられるが、容器本体内圧力も当該第２の逆止弁を密着させる方向に作用するよう構成することにより、容器本体の押圧によっては内容物が排出されないこと特徴とする蓋体を備えたことも特徴とするものである。
【００１３】
さらにこのポンプ付きチューブ容器は、加圧室が弾性体からなるドーム型ヘッド部材で区画されるとともに、当該ヘッド部材の外圧による変形によって加圧室内の圧力を上昇せしめるものであり、または加圧室が蓋体上端開口部に摺動自在に設けられた蓋部材で区画されるとともに、当該蓋部材の外圧による下降によって加圧室内の圧力を上昇せしめるものであることをも特徴としている。
【００１４】
さらにこのポンプ付きチューブ容器は、外圧を受ける手段の変形または下降に伴って、弁体を強制的に下降せしめて第２の逆止弁を開閉させることを特徴としている。
【００１５】
さらにこのポンプ付きチューブ容器は、第２の逆止弁を蓋体に密着せしめる力を付勢するバネが、ダイアフラムスプリングまたは樹脂製バネであることを特徴としている。
【００１６】
さらにこのポンプ付きチューブ容器は、第１の逆止弁がスリット弁、フラップ式弁またはきのこ式弁であることも特徴としている。
【発明の効果】
【００１７】
この発明のポンプ付きチューブ容器によれば、容器本体を押圧しても内容物が排出されることがないので、チューブが露出した化粧品等をバッグ等に入れて持ち歩くような場合において、そのバッグに何か別のものを押し込んだりしたときに、不用意にバッグ内のチューブ容器を加圧してしまうようなことがあっても、その際に内容物が漏出して化粧液等の内容物がバッグ内の他のものを汚損してしまうことがない。またそのような場合に、化粧水のように粘性が低く毛細管現象によってほんの僅かな逆止弁の隙間でも漏出の可能性が高い内容物であっても漏出の心配がない。
【００１８】
また、きわめて少ない部品点数にもかかわらず高度な機能を備えたポンプ付きチューブ容器を提供することができるので、コスト的にも有利であるばかりか、組み立ても簡略化できる。
【００１９】
さらには、金属部品を一切使用しない構成とすることにより、金属腐食による様々な影響を嫌う薬品類にも使用可能であるとともに、ゴミの減量化、分別処理にも一役買うことができる。
【発明を実施するための最良の形態】
【００２０】
以下、図面に基づきこの発明の実施の形態について詳述する。
【実施例１】
【００２１】
図１は、この発明のポンプ付きチューブ容器１の縦断面図である。柔軟性素材で形成されたチューブ容器本体２の上部開口３には、内部に弁体４を内蔵し、排出口５を備えた蓋体６がねじを備えた結合部７で螺合されている。そして蓋体６の上端８には弾性体で形成されたドーム型ヘッド部材９が設けられ、その下側の空間を加圧室１０としている。ドーム型ヘッド部材９の上には当該ドーム型ヘッド部材９の外面にほぼ密着するようにキャップ部材１１が図示しないヒンジを介して開閉可能に設けられている。また、当該容器本体２と当該蓋体６とはその間に図示しないリング状のシール部材を介在させることで気密性を確保し、ねじ部（７）からの外気の導入を阻止している。
【００２２】
図２（イ）に示す弁体４は全体的にベル形状に形成されている。上部中央部に砲弾型形状を突設させ、その先端にスリット１２を設けることにより容器本体２と加圧室１０とを仕切る第１の逆止弁１３を形成している。また下部１４をベル状に形成するとともにその肩部１５には面取り部を設けている。同図（ロ）に示す蓋体６は管状体であり、上部管状部１６の下端、排出ノズル５入口の直上には当該弁体４の面取り部（１５）が密着するテーパ形状部１７が形成されていて、この両者で加圧室１０と排出ノズル内通路１８とを仕切る第２の逆止弁１９を形成している。
【００２３】
さらに、ベル状に形成された弁体下部１４はダイアフラムスプリングとして機能する。つまり第２の逆止弁１９は、常態では、弁体４の下部１４、ダイアフラムスプリングとして機能する当該部位の弾性により当該弁体４の肩部１５が上記テーパ形状部１７に押し付けられることで閉じられている。そしてこの押し付け力による密着性を高めるため、当該ベル状部１４の外面と上記蓋体６の内面２０とが密着するように蓋体６の下部内面形状２０が形成されることが望ましい。当該下部１４は弁体４全体の支持部であるとともに、ダイアフラムスプリングとして機能するが、現実の変形部はフランジ２１に近い水平部分Åであり、当該箇所の上下方向の剛性不足が弁体４の上下動を許容していると言える。したがって、当該変形部を備えていれば、当該下部１４の形状は完全なるベル形状である必要はなく、側壁は垂直であっても構わない。
【００２４】
また、弁体４の下端２１はフランジ状になっていて、蓋体６の適合条溝２２に嵌り、容器本体２の上端開口部３に共締めされることで、容器本体内と排出ノズル側とは完全に隔離されている。
【００２５】
以上のように、この発明のポンプ付きチューブ容器１は、全てのパーツを樹脂もしくはゴム系の非金属素材等で構成することができる。
【００２６】
このように構成したこの発明のポンプ付きチューブ容器１は以下のように作用する。すなわち図３はこの発明の作用を示す要部縦断面図であるが、同図（イ）に示すように、内容物を排出させる行程においては、まずキャップ部材１１を押し上げて開きドーム型ヘッド部材９を露出させる。そして当該ドーム型ヘッド部材９を指等で押圧すると、加圧室１０の容積が圧縮されて内圧が上昇する。しかし弁体４の第１の逆止弁１３はこの加圧室１０の圧力上昇によっては開弁しないので、弁体４は押下げられることとなり、上記弁体４の肩部面取り部１５と蓋体６のテーパ形状部１７との密着が離されて第２の逆止弁１９が開弁し加圧室１０内の内容物が排出ノズル５を通って排出される。
【００２７】
ドーム型ヘッド部材９の押し下げ量に応じた容積分の内容物が排出された後に、ドーム型ヘッド部材９から指等を放し、付勢した押圧力を開放すると、図３（ロ）に示すようにドーム型ヘッド部材９が自らの弾性によって元の形に復元しようとする。そしてそのときに加圧室１０内は負圧となるが、弁体４がその下部ダイアフラムスプリング１４の弾性によって速やかに上昇し、再び上記弁体４の肩部面取り部１５と蓋体６のテーパ形状部１７とが密着して排出側の第２の逆止弁１９が閉じる。さらに上記負圧によって第１の逆止弁１３のスリット１２が開弁して容器本体内から内容物が加圧室１０内に流入することで次の排出に備える。
【００２８】
上記第２の逆止弁１９の作用においては、図４（イ）及び（ロ）に示すように、ダイアフラムスプリングとしての弁体４の下部ベル状部１４の変形による上下動の場合と、図５（イ）及び（ロ）に示すように、弁体６の肩部１５周辺の剛性による内側への変形の場合とが考えられる。なお、図４において実際の変形箇所は狭く、図（ロ）においてフランジ２１に近いほぼ水平部分Åである。
【００２９】
そしてこの発明のポンプ付きチューブ容器１の最大の特徴は、容器本体２に外力が付勢された場合の作用効果にある。すなわち、図６に示すように、容器本体２に外力（黒矢印）が加わり容器内圧が上昇すると、その圧力（白矢印）は弁体４の内側に作用し、弁体４を上方向に押し上げる。このとき弁体４の下部ベル状部１４は蓋体６の内面に密着し膨張を阻止されるため、容器本体内圧は弁体４をより上方に押し上げるように作用する。そして第２の逆止弁１９を構成する弁体４の肩部１５が、上記テーパ形状部１７により強い力で押し付けられる形となるので第２の逆止弁１９はより開弁し難くなる。
【００３０】
一方、容器本体２内と加圧室１０の関係にあっては、圧力は容器本体２内の方が高くなるので、両方の圧力差をバランスさせるべく第１の逆止弁１３が開弁し、内容物が加圧室１０内に流れ込むことが考えられるが、このときドーム型ヘッド部材９の外側球面が密着するようにキャップ部材１１が設けられているので、加圧室１０が膨張することがなく加圧室１０に流入する内容物の量は実際にはきわめて微量である。従って、容器本体２は外圧に抗する形となる。
【００３１】
もしもドーム型ヘッド部材のキャップがない場合は、図７に示すように内圧の上昇により第１の逆止弁１３のスリット弁１２を押し開けて内容物が加圧室１０内に流入し、弾性体のドーム型ヘッド部材９を膨張させる。そして膨張で増えた加圧室１０の容積分の大量の内容物が加圧室１０内に余分に充填される。そして、このときに容器本体２に付勢した外圧（図６黒矢印）を排除すると、容器本体２内と加圧室１０内の圧力差が逆転ししていまい、加圧室１０内の圧力が高くなってしまう。しかし第１の逆止弁１３は加圧室１０内の内容物が容器本体２内に逆流することを許容しないため、弾性体のドーム型ヘッド部材９が常態復帰する際に弁体４を押下げてしまうこととなり、第２の逆止弁１９が開弁してしまい、加圧室１０内に余分に充填流入した分の内容物が排出口５から排出されてしまう。
【００３２】
以上のように、この発明のポンプ付きチューブ容器１は、従来着目されることのなかった不用意な容器本体２の加圧に伴う内容物の排出を防止することができるので、変形し難い硬質容器に保護されていない露出したチューブ容器をバッグ等に入れて持ち歩いている場合に、何らかの外圧によって内容物が排出されてバッグ内を汚損するようなことがなくなる。
【００３３】
また、きわめて少ない部品点数にもかかわらず高度な機能を備えたポンプ付きチューブ容器を提供することができるので、コスト的にも有利であるばかりか、組み立ても簡略化できる。
【００３４】
さらには、当該実施例のように、金属部品を一切使用しない構成とすることにより、金属腐食による様々な影響を嫌う薬品類にも使用可能であるとともに、ゴミの減量化、分別処理にも一役買うこととなる。
【００３５】
図８乃至１１は、第２の逆止弁１９のシール方法のバリエーションを示す要部縦断面図及び弁体４の斜視図である。図８は当該第１の実施例を代表する基本的手法であり、蓋体６のテーパ形状部１７と弁体の肩部１５双方のテーパー角度を４５°とし、面同志で接触することによりシールするものである。図８（イ）は組み付けた状態の要部縦断面図及び（ロ）は弁体４単体の斜視図である。
【００３６】
図９は図８同様に面接触でシールするタイプであって、図８の４５°に対して水平面で接触するものである。蓋体６のテーパ形状部１７と弁体４の肩部１５はともに水平面に形成されている。図９（イ）は組み付けた状態の要部縦断面図及び（ロ）は弁体４単体の斜視図である。
【００３７】
図１０は蓋体６の接触面１７が、例えば図８に示すのと同じ４５°のテーパー角度を有するのに対し、弁体４の肩部１５は曲面（Ｒ）形状に形成されている場合である。従って双方は線接触でシールすることとなる。なお、構成上はこの逆すなわち蓋体６のテーパ形状部１７が曲面（Ｒ）形状で弁体４の肩部１５が図８の場合と同じテーパー形状であっても構わない。図１０（イ）は組み付けた状態の要部縦断面図及び（ロ）は弁体４単体の斜視図である。
【００３８】
図１１は図１０同様に線接触でシールするタイプであって、図１０の傾斜に対して水平面で接触するものである。弁体４の肩部１５は図９の場合と同じに水平面に形成されているが、さらにその水平面状においてその端部に沿って一周する環状の突条２３が形成されている。なお、構成上はこの逆すなわち蓋体６の接触面１７が水平面で形成されさらにこの水平面状を一周する環状の突条が形成され、弁体４の肩部１５が水平面に形成されるものであっても構わない。図１１（イ）は組み付けた状態の要部縦断面図及び（ロ）は弁体４単体の斜視図である。
【００３９】
以上のように、この発明のポンプ付きチューブ容器１は第２の逆止弁１９の構造がきわめて重要であり、容器本体２の内圧上昇により、弁体４のベル状部１４が上方に押し上げらるとともにシール性能を発揮する構造でなければならないが、上記バリエーションは例示に過ぎず、このような手法に限定されるわけではない。また、上記テーパー形状の傾斜角度は４５°に限定されない。
【００４０】
図１２及び図１３は、第１の逆止弁のバリエーションを示す要部縦断面図である。なお、図においてドーム型ヘッド部材９を被覆するキャップ部材１１は省略している。
【００４１】
図１２は、第１の逆止弁１３にフラップ式の逆止弁を用いた場合を示している。図では弁体４上端の筒状部２４の開口を塞ぐ板状部材２５が図示しないヒンジで開閉自在に設けられていて、排出時には閉じ、吸入時には開くようになっている。容器本体２内と加圧室１０内の圧力差によって自由に開閉するようになっていれば良く、強制的に閉じさせるためのスプリングは敢えて必要はないが、内容物の粘度等によって必要に応じて設けると良い。図１２においてそれぞれ（イ）は常態、（ロ）は排出行程及び（ハ）は吸入行程を示している。
【００４２】
図１３は、第１の逆止弁にポペット（きのこ弁）タイプの逆止弁を用いた場合を示している。図では弁体４上端の筒状部２４の開口を塞ぐ板状部材２５と当該筒状部２４の下端入り口で板状部材２５の開閉量を規制する球２６が、当該筒状部２４を貫通する連接棒２７によって繋がれているポペット弁２８が設けられ、排出時には閉じ、吸入時には上昇して開くようになっている。容器本体２内と加圧室１０内の圧力差によって自由に開閉するようになっていれば良く、強制的に閉じさせるためのスプリングは敢えて必要はないが、内容物の粘度等によって必要に応じて設けると良い。図１３においてそれぞれ（イ）は常態、（ロ）は排出行程及び（ハ）は吸入行程を示している。
【００４３】
以上のように、この発明のポンプ付きチューブ容器１は上記第２の逆止弁１９に準じて第１の逆止弁１３の構造が重要であり、容器本体２の内圧上昇によって開くが、排出時には確実にシール性能を発揮する構造でなければならないが、上記バリエーションは例示に過ぎず、このような手法に限定されるわけではない。
【実施例２】
【００４４】
図１４はこの発明のポンプ付きチューブ容器１における第２の実施例を示す要部縦断面図である。当該実施例は前記の通り容器本体２の不用意な加圧に伴う内容物の排出防止を最大の課題とするものであるが、上記実施例１において加圧室１０の膨張を防止する手段としてドーム型ヘッド部材９を被覆するキャップ部材１１を設けたことの別案である。
【００４５】
図１４（イ）に示すように、蓋体６の上端８にはその外周全周にわたって突条２９が形成され、そこにヘッド部材３０が摺動自在に設けられている。より具体的には、当該ヘッド部材３０はほぼ縦断面を開口部を下にしたコの字状を呈し、外壁３１の下端開口部内側には上記突条２９に適合する突条３２を下端内周に備え、相互の高さが引っ掛かりとなりヘッド部材３０の抜け落ちを阻止している。さらにヘッド部材３０には外壁３１の内側に所望間隙を以て内壁３３が設けられている。当該内壁３３はその外周面３４が蓋体６の内側筒状部内面と接するようになっていて、当該内壁３３と弁体４とで仕切られる空間に加圧室１０を形成するものである。また蓋体６の上端８直下にはＯリング３５が嵌め込まれ、当該内壁３３と蓋体内面３４との気密性を確保している。なお、当該Ｏリング３５に代えて、当該内壁３３の下端にシール機能を付与することとしても良いことはもちろんである。
【００４６】
さらに、蓋体６の上端８とヘッド部材３０の底部間にはスプリング３６が設けられている。当該スプリング３６はヘッド部材３０を押下げた際の戻り力を付勢するものである。このスプリング３６は樹脂製であることが望ましい。
【００４７】
以上のように構成することにより、容器本体２の不用意な加圧に対しては、ヘッド部材３０が上昇を規制されているので容器本体２内の内容物が第１の逆止弁１３を開けて加圧室１０に流入するおそれがなくなる。
【００４８】
当該実施例においても前記各実施例と同様に、実際の排出行程にあっては、図１４（ロ）に示すようにヘッド部材３０を押下げることにより加圧室１０内の内容物が第２の逆止弁１９を押し開いて排出ノズル５から排出される。そしてヘッド部材３０の押し下げをやめると上記スプリング３６により、元の位置に復帰するとともに第１の逆止弁１３が開いて容器本体２内から内容物が加圧室１０内に流入して次の排出に備えるという作用に前記実施例１と変わるところはない。
【００４９】
なお、本実施例においては、ヘッド部材３０を不用意に押下げてしまうおそれがあるため、ヘッド部材３０の下降に関し、これを阻止するロック機能が設けられることが望ましい。例えば、図示しない下降ロック手段が設けられていて、ヘッド部材３０を所望角度回転させることでロックが解除されて押し下げが可能となり、また押下げ力を排除した際には戻りバネ３６によって元の位置に上昇して戻りながら回動して再びロックされるような構成を設けることである。
【００５０】
本実施例によれば、頭部機構の動作の安全を確保しつつ、デザイン的な自由度が増えるというメリットがある。
【実施例３】
【００５１】
図１５はこの発明のポンプ付きチューブ容器１における第３の実施例を示す要部縦断面図である。ドーム型ヘッド部材９を備えている点、及び第１第２両逆止弁１３，１９の構成については実施例１と同様である。なお、図ではドーム型ヘッド部材９を被覆するキャップ部材１１は省略している。
【００５２】
本実施例においては、排出時において強制的に第１の逆止弁１３を閉じつつ弁体４を押下げるものとなっている。すなわち、ドーム型ヘッド部材９の内面底部から垂下する突起３７を設けている。当該突起３７にはその先端に第１の逆止弁１３となる砲弾型のスリット弁１２の頭部形状に適合し、接触した際にはスリット１２が開かないようにこれを包むような杯形状の押さえ部材３８が形成されている。
【００５３】
図１５（イ）に示す常態では、当該押さえ部材３８と第１の逆止弁１３とには一定の間隙が設けられている。（ロ）は排出時を示しており、ドーム型ヘッド部材９を指等で押下げると、同時に突起３７が下がり上記押さえ部材３８が第１の逆止弁１３に接する。そのままドーム型ヘッド部材９を押下げると加圧室１０内を加圧しながら弁体４が頭を押さえ付けられるように強制的に押下げられ、第２の逆止弁１９も開き、加圧室１０内の内容物が排出ノズル５へと流れ排出される。（ハ）は容器本体２からの吸入行程を示しているが、ドーム型ヘッド部材９への押し込み力を排除すると自らの弾性によって元の形に復元しようとするので、ドーム型ヘッド部材９の復元とともに突起３７も上昇する。そして常態に戻りながら第２の逆止弁１９が速やかに閉じて加圧室１０には負圧が生まれ、常態になる直前に押さえ部材３８と第１の逆止弁１３との間に間隙が生じ、容器２内と加圧室１０内の圧力差によって第１の逆止弁１３が開いて内容物が加圧室１０内に流れ込み次の排出に備える。
【００５４】
本実施例によれば、逆止弁の動作を強制的に行うことができるので、高粘度液体や、排出口５からの僅かな空気によっても硬化し易い内容物の場合に固着した弁を強制的に開閉させるなど、本願発明の作用効果をいかなる場合も発揮させられるものである。
【実施例４】
【００５５】
図１６及び１７はこの発明のポンプ付きチューブ容器１における第４の実施例を示す要部縦断面図及び斜視図である。当該実施例では、弁体４のスプリング３９が特徴となっている。
【００５６】
各図に示すように、本実施例の弁体４は上記実施例で開示したようなベル形状ではない。図１６の各図及び図１７（イ）に示すのは弓状の複数のバネ３９を縦列形成したものである。この場合は弁体４が上下動する際には若干の回転を伴うものである。また、図１７（ロ）に示すのはリング状のバネ３９を形成したものであり、この場合は回動を伴わない上下動を行うものである。いずれも弁体４とバネ３９は一体に形成されることが望ましいので、必然的に樹脂バネとなることが望ましい。バネ３９の下にはフランジ部４０が形成され、蓋体６に適合するようになっている。
【００５７】
この場合において、バネ３９が固定される弁体４の肩部１５よりも下の部分はある程度の硬度が必要となる一方、それより上方の肩部１５及び第１の逆止弁１３を実施例１と同様にスリット弁とした場合には、当該部分にはある程度の弾性が必要となるため、１部品で異なる材質的性質が求められることとなる。そのため図１６に示すように、弁体４のほぼ全体を硬質樹脂で形成し、第１の逆止弁１３は弾性体で形成した砲弾状の部材を先端の筒状部４１に被覆するようにすることが望ましい。また、弁体４の肩部１５には柔らかい弾性樹脂またはゴム系の塗料を塗布したり、図示しないＯリングを設けるなどして密着性・気密性を確保することが望ましい。
【００５８】
蓋体６はその内部が２段の内径を有する筒状となり、その段差の部分に第２の逆止弁１９が形成される弁体４の肩部１５と当接密着する密着部（図１２（ロ））とその直下に排出ノズル５の入り口が設けられている。したがって、弁体４は肩部１５の直下部分４２が蓋体の内周面４３（図１６参照）と接して摺動することとなるが、当該摺動面４３に生ずる隙間から内容物が漏洩する可能性があるので、当該弁体肩部直下の外周面４２に例えばＯリングを装着するなどして当該部分の気密性を確保する必要がある。図において４０は蓋体６の固定フランジである。
【００５９】
図１６においてそれぞれ（イ）は常態、（ロ）は排出行程及び（ハ）は吸入行程を示している。
【００６０】
当該実施例におけるメリットは、弁体４のスプリング３９がコンパクトに形成されるので、蓋体６を小さく形成することができ、より小さなチューブ容器に適用可能となることである。
【実施例５】
【００６１】
図１８各図及び図１９はこの発明のポンプ付きチューブ容器１における第５の実施例を示す要部縦断面図である。ドーム型ヘッド部材９を備えている点については実施例１と同様である。なお、図ではドーム型ヘッド部材９を被覆するキャップ部材１１は省略している。
【００６２】
本実施例の特徴は、弁体４の高さを抑えた構成としている点である。すなわち、弁体４は、ほぼ杯形状もしくは皿形状に形成し、これを伏せた形となっている。高さを抑えるため第１の逆止弁１３はフラップ式を採用し、第２の逆止弁１９は実施例１同様に傾斜面での面接触としている。ただし、第２の逆止弁１９を構成する弁体４の肩部１５は相応の剛性が必要なため、ダイアフラムスプリングとして機能する下部よりも肉厚を上げている。
【００６３】
図１８においてそれぞれ（イ）は常態、（ロ）は排出行程及び（ハ）は吸入行程を示している。また、図１９は本実施例の構成において、排出ノズル５を上方に曲げたものとなっている。
【００６４】
本実施例においては、蓋体６の全高を低く構成することができるというメリットがある。
【実施例６】
【００６５】
図２０乃至図２４はこの発明のポンプ付きチューブ容器１における第６の実施例を示す要部縦断面図である。上記実施例１乃至５までは弁体４全体が上下動することを前提としてものであるが、本実施例は、第２の逆止弁１９はきわめて僅かな隙間が生じるのみで排出が可能であるとの見地に基づき、弁体４全体が上下動するのではなく排出ノズルの入り口４７を開閉させることのみで第２の逆止弁１９を作用ならしめたものである。また、排出ノズル５を真っ直ぐ上方に向けている。
【００６６】
すなわち図２１に示すように、弁体４は上記実施例のそれとは大きく異なり、縁が傾斜した皿形状を伏せた形状を呈しており、縁の浅い方を固定端とし、縁の高い方のみが変形するようになっている。また、図では第１の逆止弁１３はフラップ式を採用して高さを抑える構造としている。図中２５は固定用フランジである。
【００６７】
図２０においてそれぞれ（イ）は常態、（ロ）は排出行程及び（ハ）は吸入行程を示している。なお、図ではドーム型ヘッド部材９を被覆するキャップ部材１１は省略している。
【００６８】
本実施例で特徴的なのは第２の逆止弁１９である。弁体４において縁の高い方の側面４４には平面部４６を備えている。図２１乃至２２はそれぞれ第２の逆止弁１９の構成例を示す要部縦断面図及び弁体４の斜視図である。図２２（イ）に示すように、排出ノズル入口４７の周囲に弁体４の平面部４６が適合する平面部４８を備えていて、それぞれ図中矢印位置で面接触により排出ノズルの入口４７を塞ぐようになっている。接触面の傾斜は４５°が望ましいが、限定されるものではない。同図（ロ）の斜線部分が接触面となる。
【００６９】
図２３は図２２同様に排出ノズルの入口４７の周囲には平面部４８を備え、一方弁体４の平面部４６には排出ノズル入口４７の径よりも大きく、当該排出ノズル入口４７の平面部４８に適合する環状の突条もしくはＯリング４９を備え、当該突条またはＯリング４９が排出ノズル入口４７の平面部４８に図中矢印位置で線接触することにより排出ノズルの入口４７を塞ぐようになっている。
【００７０】
図２４は図２２同様に排出ノズルの入口４７の周囲には平面部４８を備え、一方弁体４の平面部４６には排出ノズル入口４７に適合する球面状の突起５０を設け、当該突起５０が排出ノズル入口４７内に進入することで排出ノズル入口４７の角と当該突起の立ち上がり部（図中矢印位置）とで線接触して排出ノズルの入口４７を塞ぐようになっている。
【００７１】
本実施例においても、その作用は前記各実施例と変わらず、図２０（ロ）に示すようにドーム型ヘッド部材９を押圧すると加圧室１０内が加圧されて内容物が第２の逆止弁１９を押し広げて隙間を作り排出ノズルから排出され、また、ドーム型ヘッド部材９への押圧を解除すると第２の逆止弁１９が閉じるとともに、ドーム型ヘッド部材９の復元力で加圧室１０内に負圧が生じて第１の逆止弁１３が開いて容器本体２内の内容物が加圧室１０内に流入して次の排出に備える。
【００７２】
本実施例の特徴は、上記図２２乃至２４に示す排出口閉鎖方法のいずれの場合においても、弁体４は縁の浅い方の一端が固定されて、変形するのは平面部４６付近のみであるということである。
【００７３】
本実施例は以上のように構成することにより、よりコンパクトな構成により、容器本体２の流れ方向と同じ方向に排出ノズル５を向けることが可能となる。
【産業上の利用可能性】
【００７４】
この発明のポンプ付きチューブ容器によれば、容器本体を押圧しても内容物が排出されることがないので、チューブが露出した化粧品等をバッグ等に入れて持ち歩くような場合において、そのバッグに何か別のものを押し込んだりしたときに、不用意にバッグ内のチューブ容器を加圧してしまうようなことがあっても、その際に内容物が漏出して化粧液等の内容物がバッグ内の他のものを汚損してしまうことがない。またそのような場合に、化粧水のように粘性が低く毛細管現象によってほんの僅かな逆止弁の隙間でも漏出の可能性が高い内容物であっても漏出の心配がない。
【００７５】
また、きわめて少ない部品点数にもかかわらず高度な機能を備えたポンプ付きチューブ容器を提供することができるので、コスト的にも有利であるばかりか、組み立ても簡略化できる。
【００７６】
さらには、金属部品を一切使用しない構成とすることにより、金属腐食による様々な影響を嫌う薬品類にも使用可能であるとともに、ゴミの減量化、分別処理にも一役買うことができる。
【図面の簡単な説明】
【００７７】
【図１】この発明のポンプ付きチューブ容器の全体構造を示す縦断面図である。
【図２】（イ）その弁体を示す斜視図、（ロ）その蓋体を示す縦断面図である。
【図３】この発明のポンプ付きチューブ容器の作用を示す要部縦断面図である。
【図４】この発明のポンプ付きチューブ容器の作用を示す要部縦断面図である。
【図５】この発明のポンプ付きチューブ容器の作用を示す要部縦断面図である。
【図６】この発明のポンプ付きチューブ容器の効果を示す縦断面図である。
【図７】ドーム型ヘッドの課題を示す要部縦断面図である。
【図８】第２の逆止弁のシール方法のバリエーションを示す要部縦断面図及び弁状体の斜視図である。
【図９】他のバリエーションを示す要部縦断面図及び弁状体の斜視図である。
【図１０】他のバリエーションを示す要部縦断面図及び弁状体の斜視図である。
【図１１】他のバリエーションを示す要部縦断面図及び弁状体の斜視図である。
【図１２】第１の逆止弁のバリエーションを示す要部縦断面図である。
【図１３】他のバリエーションを示す要部縦断面図である。
【図１４】この発明のポンプ付きチューブ容器における第２の実施例を示す要部縦断面図である。
【図１５】この発明のポンプ付きチューブ容器における第３の実施例を示す要部縦断面図である。
【図１６】この発明のポンプ付きチューブ容器における第４の実施例を示す要部縦断面図及び斜視図である。
【図１７】そのスプリングのバリエーションを示す斜視図である。
【図１８】この発明のポンプ付きチューブ容器における第５の実施例を示す要部縦断面図である。
【図１９】その変形例を示す要部縦断面図である。
【図２０】この発明のポンプ付きチューブ容器における第６の実施例を示す要部縦断面図である。
【図２１】その弁体を示す斜視図である。
【図２２】その第２の逆止弁構造を示す要部縦断面図である。
【図２３】他の逆止弁構造を示す要部縦断面図である。
【図２４】他の逆止弁構造を示す要部縦断面図である。
【００７８】
１  この発明のポンプ付きチューブ容器
２  容器本体
３  上部開口
４  弁体
５  排出口
６  蓋体
７  結合部
８  上端
９  ドーム型ヘッド部材
１０  加圧室
１１  キャップ部材
１２  スリット
１３  第１の逆止弁
１４  下部
１５  肩部
１６  上部管状部
１７  テーパ形状部
１８  排出ノズル内通路
１９  第２の逆止弁
２０  内面
２１  下端
２２  条溝
２３  突条
２４  筒状部
２５  板状部材
２６  球
２７  連接棒
２８  ポペット弁
２９  突条
３０  ヘッド部材
３１  外壁
３２  突条
３３  内壁
３４  外周面
３５  Ｏリング
３６  スプリング
３７  突起
３８  押さえ部材
３９  スプリング
４０  フランジ部
４１  筒状部
４２  直下部分
４３  内周面
４４  側面
４５  フランジ
４６  平面部
４７  排出ノズル入口
４８  平面部
４９  突条もしくはＯリング
５０  突起
【図１】
2006315745.tif 000003
【図２】
2006315745.tif 000004
【図３】
2006315745.tif 000005
【図４】
2006315745.tif 000006
【図５】
2006315745.tif 000007
【図６】
2006315745.tif 000008
【図７】
2006315745.tif 000009
【図８】
2006315745.tif 000010
【図９】
2006315745.tif 000011
【図１０】
2006315745.tif 000012
【図１１】
2006315745.tif 000013
【図１２】
2006315745.tif 000014
【図１３】
2006315745.tif 000015
【図１４】
2006315745.tif 000016
【図１５】
2006315745.tif 000017
【図１６】
2006315745.tif 000018
【図１７】
2006315745.tif 000019
【図１８】
2006315745.tif 000020
【図１９】
2006315745.tif 000021
【図２０】
2006315745.tif 000022
【図２１】
2006315745.tif 000023
【図２２】
2006315745.tif 000024
【図２３】
2006315745.tif 000025
【図２４】
2006315745.tif 000026